(57)【要約】【課題】  表面取付技術によりできるだけ簡単に接触子を印刷回路板上に取付けることができる電気接触子装置を提供する。【解決手段】  特に移動電話、小形コンピュータ等の機器用の電気接触子装置特に印刷回路板差込みコネクタは、ハウジングと、薄板から打抜かれてハウジングの絶縁体に保持される扁平接触子を持ち、各接触子は、一端にその打抜き縁の少なくとも１つに、相手接触子装置に作用する接触区域を持ち、他端に印刷回路板の導体面に接続するための接続部分を持ち、絶縁物ハウジングから出る接続部分の打抜き縁の少なくとも１つが、印刷回路板上に接触子装置を取付けるためのろう付け面を形成している。【選択図】  図２
2006156316.tif 000002
【特許請求の範囲】
【請求項１】
電気接触子装置（１０）であって、ハウジング（１１）、及び薄板から打抜かれかつハウジングの絶縁体に保持される扁平な接触子（１３）を有し、各接触子（１３）が、一端においてその打抜き縁（１６）の少なくとも１つに、相手接触子装置の接触子に作用する接触区域（１７）を持ち、他端に印刷回路板（２５）の導体面に接続するための接続部分（１８）を持っているものにおいて、ハウジング（１１）から出る接触子（１３）の接続部分（１８）の打抜き縁（２０，２１，２２）の少なくとも２つが、印刷回路板（２５）上に接触子装置（１０）を表面取付け技術（ＳＭＴ）で取付けるためのろう付け面をそれぞれ形成し、ろう付け面に異なる面が属していることを特徴とする、電気接触子装置。
【請求項２】
各接触子（１３）が、それぞれ互いに約９０°をなす表面取付け可能な打抜き縁（２０，２１，２２）を含んでいることを特徴とする、請求項１に記載の接触子装置。
【請求項３】
接続部分（１８）が、その主要面範囲に接触子（１３）の他の部分より拡張された部分を形成していることを特徴とする、請求項１に記載の接触子装置。
【請求項４】
拡張された部分（１８）のろう付け面を形成する打抜き縁（２０，２１，２２）のうち２つ（２０，２１）が、ハウジング外面（２３，２４）のそれぞれ１つと実質的に同じ面にあるように、ハウジング（１１）に属していることを特徴とする、請求項１〜３の１つに記載の接触子装置。
【発明の詳細な説明】
【技術分野】
【０００１】  本発明は、電気接触子装置、特に移動電話、小形コンピュータ等の機器の特に入−出力インタフェース用印刷回路板差込みコネクタであって、ハウジング、及び薄板から打抜かれかつハウジングの絶縁体に保持される扁平な接触子を有し、各接触子が、一端においてその打抜き縁の少なくとも１つに、相手接触子装置の接触子に作用する接触区域を持ち、他端に印刷回路板の導体面に接続するための接続部分を持っているものに関する。
【背景技術】
【０００２】  この種の接触子装置は、例えば差込みコネクタとして多くの構成で公知である。圧延された接触子材料薄板から打抜きにより製造される接触子は、特にいわゆる扁平接触子として使用される。その中に、主要面又は広い面に接触区域又は接触面を形成されている接触子がある。これらの接触子は、それが打抜かれる薄板の圧延側で相手接触子と接触する。打抜き縁が接触区域又は接触面を持つか又は形成するように接触子を配置することも、公知である。この種の接触子の主要な代表はいわゆる二又接触子である。【０００３】  打抜き縁で接触する接触子の利点は、極端な小形化の際このような接触子自体が及ぼすことができる大きい弾性接触力である。
【発明の開示】
【発明が解決しようとする課題】
【０００４】  本発明は、最後に述べた接触子を持つ接触子装置に関し、その基礎になっている課題は、ＳＭＴ印刷回路板取付けをできるだけ簡単に接触子装置に使用することである。ＳＭＴ技術とは、ろう付け接続により接触子又は電気装置を印刷回路板の表面にろう付けする技術である。この技術のために用いられかつ適している電気装置は、ＳＭＤ（表面取付け装置）と称される。
【課題を解決するための手段】
【０００５】  本発明は、請求項１の特徴によりこの課題を解決し、従ってハウジングから出る接触子の接続部分の打抜き縁の少なくとも２つが、印刷回路板上に接触子装置を表面取付け技術（ＳＭＴ）で取付けるためのろう付け面をそれぞれ形成し、ろう付け面が異なる面に属していることを特徴としている。【０００６】  従って本発明の重要な核心は、選択可能な１つ又は複数の対応関係で、接触子の製造の際形成される少なくとも２つの異なる向きの打抜き縁を、接触子のＳＭＴ取付け従って印刷回路板上に接触子装置を取付けるために利用することである。従って印刷回路板上における接触子装置のあらゆる可能な配置のために、異なる接触子を使用することはもはや必要でない。即ち接触子は今や同一である。それによりＳＭＴ面として広い面又は圧延面を使用するための接触子の接続部分を場合によってはねじる必要がない。【０００７】  接続部分は、その主要面の範囲に接触子の他の部分より拡張された部分を形成しているのがよく、拡張された部分は、互いになるべく直角をなす３つのＳＭＴ可能な打抜き縁を形成することができる。角度は例えば９０°とは異なっていてもよく、例えば３０°又は４５°であってもよい。接触子の接続部分に、打抜き縁から形成される３つより多いろう付け面も使用される。結局これは、個々の場合に行うべき打抜き切断又は打抜きダイの問題であるにすぎない。【０００８】  本発明の別の特徴によれば、拡張された部分の打抜き縁が、ハウジング外面のそれぞれ１つと実質的に同じ面にあるように、ハウジングに属している。それにより接触子の接続部分の打抜き縁の面を介して印刷回路板にろう付けされる接触子装置が、付加的にハウジング部分によっても支持されるようにすることができる。【０００９】  本発明は、図面に示されている実施例の以下の説明から最もよくわかる。
【発明を実施するための最良の形態】
【００１０】  図面において、接触子装置は全体に符号１０を付けられている。図示されている接触子装置１０は、例えば電気差込みコネクタのプラグであり、それに合わされた相手接触子を含むソケットがこのコネクタに属している。これを、例えば図面に示されているように、プラグが回路網充電装置の印刷回路板上に取付けられ、付属するソケットが移動電話の構成部分であると、想像することができる。【００１１】  図１による接触子装置は、同じに形成された１列の接触子のそれぞれ１つの接触子１３のためのスリット状収容部１２を持つ絶縁材料製ハウジング１１を含んでいる。１４で示す弓形金属板は、例えば遮蔽板として用いることができる。【００１２】  断面が薄い長方形の接触子１３は、ほぼ直線状に延びるように構成されている。接触子１３は、圧延された接触子材料製薄板から打抜かれている。従って接触子は、それぞれ互いに対向する配置で、薄板の圧延側に相当する２つの広い面１５と、打抜き縁１６を形成する２つの狭い面とを持っている。【００１３】  前部範囲において、打抜き縁１６は猫背状に隆起する接触区域１７を構成し、各接触子１３の他端は接続部分１８を構成している。【００１４】  図からわかるように、この接続部分１８は、各接触子１３の他の部分に対して、特に絶縁物ハウジング１１内にある固定部分１９に対して拡張され、しかも広い面１５により規定される面内で拡張されている。即ち拡張は、一貫して狭い条片状接触子を厚くしない。【００１５】  接続部分１８しかもその周囲に、３つの打抜き縁２０，２１及び２２が特別なやり方で形成されるか又は設けられている。両方の打抜き縁２０及び２１は、互いに平行にかつ接触子装置１０の両外面２３及び２４の１つに対してそれぞれ平行にほぼ１つの面において延びている。なおこれら両方の打抜き縁２０及び２１は、接触子１３の縦方向に対して平行な面において方向づけられている。【００１６】  打抜き縁２３は各接触子１３の後方限界を形成し、他の両方の打抜き縁２０及び２１に対して直角をなしている。【００１７】  この特別な配置のため、接触子装置１０を３つの異なる方向づけでＳＭＴ原理により印刷回路板２５上に取付けることが可能である。【００１８】  図２に示す方向づけでは、打抜き縁２０が有効ＳＭＴろう付け面を形成している。この場合接触子１３の隆起している接触区域１７は印刷回路板２５の方へ向き、接触子装置１０のプラスチックから成る絶縁体のハウジング部分２３も、同様に印刷回路板２５の表面上にある。【００１９】  図３に示す取付け例では、縦軸線の周りに１８０°回された接触子装置１０の向きで取付けが行われる。ここでは打抜き縁２１が有効であり、遮蔽板１４の外面は印刷回路板２５の表面に載っている。この場合接触子１３の接触区域１７は印刷回路板２５から離れる方向を向いている。【００２０】  接触子装置１０が後方打抜き縁２２を介して印刷回路板２５上に取付けられると、図４に示す立った配置が生じる。
【図面の簡単な説明】
【００２１】
【図１】  プラグとして構成された接触子装置の斜視図を示す。
【図２】  第１の可能な対応関係で印刷回路板上に取付けられた図１の接触子装置の縦断面図を示す。
【図３】  印刷回路板上における接触子装置の別の配置を図２に対応する縦断面図で示す。
【図４】  印刷回路板上における接触子装置の第３の配置を図２に対応する縦断面図で示す。
【符号の説明】
【００２２】  １０              接触子装置
１１              ハウジング
１３              接触子
１６              打抜き縁
１７              接触区域
１８              接続部分
２０，２１，２２  打抜き縁
２５              印刷回路板
【図１】
2006156316.tif 000003
【図２】
2006156316.tif 000004
【図３】
2006156316.tif 000005
【図４】
2006156316.tif 000006